【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
式(I)：
【化１】
2005501155.tif 000001
［式中、
R1, R2, R3, R4, およびR5は、同一または異なっていてよく、C1-20アルキル、ハロ、ヒドロキシル、水素、シアノ、スルホニル、スルホ、スルファト、アリール、ニトロ、カルボキシル、C1-20アルコキシ、およびB-Aよりなる群から選ばれ、
ここで、BはN, O, S, SO2, SO3よりなる群から選ばれ、Aは式(II)：
【化２】
2005501155.tif 000002
（式中、
ポリオキシアルキレン成分は少なくともC2-20アルキレンオキシ、グリシドール、グリシジル、およびそれらの任意の混合物から選ばれる群の少なくとも３種のモノマーよりなる群から選ばれ、R'は水素、C1-20アルコキシ、C1-20アルキル、およびC1-20エステルよりなる群から選ばれ；
ここでBがNの場合Zは2であり、BがNでない場合Zは1である）
により表わされ；
XおよびYは、同一または異なっていてよく、水素、シアノ、C(O)OR, C(O)R, C1-20アルキル、およびC1-20アルコキシよりなる群から選ばれ、
Rは、R1ないしR5の任意につき前記したと同様に定義され、
R1, R2, R3, R4, およびR5の少なくとも一つはB-Aであり、
該XおよびYの少なくとも一つはシアノまたは水素のいずれかである。］
に表わされる構造に従う紫外線吸収剤化合物。
【請求項２】
少なくとも一種の熱可塑性樹脂、少なくとも一種の熱硬化性樹脂およびそれらの任意の混合物よりなる群から選ばれる少なくとも一種の樹脂成分、および請求項１に記載の少なくとも一種の化合物を含んでなる樹脂組成物。
【請求項３】
請求項１に記載の少なくとも一種の化合物および少なくとも一種の青味剤を含んでなる液状組成物。
【請求項４】
請求項１に記載の少なくとも一種の化合物および少なくとも一種の青味剤を含んでなるペレット化組成物。
【請求項５】
(a)  既に重合した熱可塑性樹脂の溶融配合物を供給し；
(b)  請求項1に定義された化合物に従う少なくとも一種の化合物を前記溶融配合物中へ導入し；
(c)  得られた溶融配合物を冷却する
ステップを含んでなる熱可塑性樹脂物品の製造方法。
【請求項６】
ガードナー色調値が11以下を示す液状紫外線吸収剤化合物であって、2時間暴露後の加熱アルコール抽出溶液が示す吸光度レベルとして測定されるポリエチレンテレフタレートからの抽出レベルが、光路長10.0cmのセル中において0.1吸光度単位以下である液状紫外線吸収剤化合物。
【請求項７】
前記化合物は、5容積%の濃度でメタノール中に存在する際のガードナー色調値が11以下を示す請求項1に記載の化合物。
【請求項８】
式(IV)：
【化３】
2005501155.tif 000003
［式中、Aは式(II)：
【化４】
2005501155.tif 000004
（式中、ポリオキシアルキレン成分は繰り返し単位が1〜100である少なくとも１つのC2-20アルキレンオキシ、グリシドール、グリシジル、およびそれらの任意の混合物よりなる群から選ばれ、R'は水素、C1-20アルコキシ、C1-20アルキル、およびC1-20エステルよりなる群から選ばれる）で表わされる］
で表わされる構造に従う低色調の紫外線吸収剤化合物であって、該化合物は純粋、無希釈状態でガードナー色調値が11以下を示す化合物。
【請求項９】
式(III)：
【化５】
2005501155.tif 000005
［式中、Aは式(II)：
【化６】
2005501155.tif 000006
（式中、ポリオキシアルキレン成分は繰り返し単位が1〜100である少なくとも１つのC2-20アルキレンオキシ、グリシドール、グリシジル、およびそれらの任意の混合物よりなる群から選ばれ、R'は水素、C1-20アルコキシ、C1-20アルキル、およびC1-20エステルよりなる群から選ばれる）で表わされる］
で表わされる構造に従う低色調の紫外線吸収剤化合物。
【手続補正２】
【補正対象書類名】明細書
【補正対象項目名】０００３
【補正方法】変更
【補正の内容】
【０００３】
メチン系化合物、特に、L'Oreal SAのヨーロッパ特許アブストラクト350−386−Aに開示されているようなある種のマロネート誘導体は、化粧用日焼け止め剤組成物における紫外線吸収剤として有効であり、一般に低コストで製造でき、約280〜約360nmのスペクトルにおいて紫外線保護を与える。しかし、そのような化合物は、有機溶剤に高可溶性であり、従って、導入の際にプラスチックのような固体組成物から容易に移行しうる。従って、マロネート誘導体のような有効な紫外線吸収剤をプラスチック中に使用することは極めて好ましいが、そのように安定で従って有効性の高い紫外線吸収組成物を、そのようなメチン系原料から製造することは極めて困難であるため、そのような使用は、紫外線吸収剤の先行技術には教示がなく全く示唆されていない。従って、熱可塑性プラスチック等（上記）のような媒体中に留まるために不可欠な能力を示し、よって、紫外線暴露による分解に対し必要かつ好ましい保護を与える、低価格の紫外線吸収剤が必要とされている。
【手続補正３】
【補正対象書類名】明細書
【補正対象項目名】００９１
【補正方法】変更
【補正の内容】
【００９１】
本発明の特定の特徴を記載したが、それらに変更を加えることができ、本発明の原理の他の実施態様を当業者は認識しうる故に、当然、本発明は、本発明のいずれの特定の形態または実施にも限定されるものではないと理解すべきである。従って、請求の範囲の真の意味、意図および範囲において本発明の特徴を取り入れるいかなる変更も、請求の範囲に含まれるものとする。
本発明の好ましい態様は、以下を包含する。
[１]
式(I)：
【化１】
2005501155.tif 000007
［式中、
R1, R2, R3, R4, およびR5は、同一または異なっていてよく、C1-20アルキル、ハロ、ヒドロキシル、水素、シアノ、スルホニル、スルホ、スルファト、アリール、ニトロ、カルボキシル、C1-20アルコキシ、およびB-Aよりなる群から選ばれ、
ここで、BはN, O, S, SO2, SO3よりなる群から選ばれ、Aは式(II)：
【化２】
2005501155.tif 000008
（式中、
ポリオキシアルキレン成分は少なくともC2-20アルキレンオキシ、グリシドール、グリシジル、およびそれらの任意の混合物から選ばれる群の少なくとも３種のモノマーよりなる群から選ばれ、R'は水素、C1-20アルコキシ、C1-20アルキル、およびC1-20エステルよりなる群から選ばれ；
ここでBがNの場合Zは2であり、BがNでない場合Zは1である）
により表わされ；
XおよびYは、同一または異なっていてよく、水素、シアノ、C(O)OR, C(O)R, C1-20アルキル、およびC1-20アルコキシよりなる群から選ばれ、
Rは、R1ないしR5の任意につき前記したと同様に定義され、
R1, R2, R3, R4, およびR5の少なくとも一つはB-Aであり、
該XおよびYの少なくとも一つはシアノまたは水素のいずれかである。］
に表わされる構造に従う紫外線吸収剤化合物。
[２]
少なくとも一種の熱可塑性樹脂、少なくとも一種の熱硬化性樹脂およびそれらの任意の混合物よりなる群から選ばれる少なくとも一種の樹脂成分、および[１]に記載の少なくとも一種の化合物を含んでなる樹脂組成物。
[３]
前記少なくとも一種の樹脂成分は熱可塑性樹脂である[２]に記載の樹脂組成物。
[４]
前記熱可塑性樹脂成分は、ポリエステル、ポリオレフィン、ハロゲン化ポリマー、ポリアミド、およびそれらの任意の混合物よりなる群から選ばれる、[３]に記載の樹脂組成物。
[５]
前記熱可塑性樹脂はポリエステルである[４]に記載の熱可塑性樹脂組成物。
[６]
前記ポリエステルはポリエチレンテレフタレートである[５]に記載の熱可塑性樹脂組成物。
[７]
[１]に記載の少なくとも一種の化合物および少なくとも一種の青味剤を含んでなる液状組成物。
[８]
[１]に記載の少なくとも一種の化合物および少なくとも一種の青味剤を含んでなるペレット化組成物。
[９]
(a)  既に重合した熱可塑性樹脂の溶融配合物を供給し；
(b)  [1]に定義された化合物に従う少なくとも一種の化合物を前記溶融配合物中へ導入し；
(c)  得られた溶融配合物を冷却する
ステップを含んでなる熱可塑性樹脂物品の製造方法。
[１０]
前記熱可塑性樹脂はポリエステルを含んでなる[９]に記載の方法。
[１１]
前記ポリエステルはポリエチレンテレフタレートを含んでなる[１０]に記載の方法。
[１２]
(a)  既に重合した熱可塑性樹脂の溶融配合物を供給し；
(b)  [7]に定義された組成物を前記溶融配合物中へ導入し；
(c)  得られた溶融配合物を冷却する
ステップを含んでなる熱可塑性樹脂物品の製造方法。
[１３]
前記熱可塑性樹脂はポリエステルを含んでなる[12]に記載の方法。
[１４]
前記ポリエステルはポリエチレンテレフタレートを含んでなる[13]に記載の方法。
[１５]
(a)  既に重合した熱可塑性樹脂の溶融配合物を供給し；
(b)  [8]に定義された少なくとも一種のペレットを前記溶融配合物中へ導入し；
(c)  得られた溶融配合物を冷却する
ステップを含んでなる熱可塑性樹脂物品の製造方法。
[１６]
前記熱可塑性樹脂はポリエステルを含んでなる[15]に記載の方法。
[１７]
前記ポリエステルはポリエチレンテレフタレートを含んでなる[16]に記載の方法。
[１８]
ガードナー色調値が11以下を示す液状紫外線吸収剤化合物であって、2時間暴露後の加熱アルコール抽出溶液が示す吸光度レベルとして測定されるポリエチレンテレフタレートからの抽出レベルが、光路長10.0cmのセル中において0.1吸光度単位以下である液状紫外線吸収剤化合物。
[１９]
前記化合物は0.05吸光度単位以下の抽出レベルを示す[18]に記載の液状紫外線吸収剤。
[２０]
前記化合物は0.025吸光度単位以下の抽出レベル[19]に記載の液状紫外線吸収剤。
[２１]
前記化合物は0.0吸光度単位の抽出レベルを示す[20]に記載の液状紫外線吸収剤。
[２２]
前記化合物は、5容積%の濃度でメタノール中に存在する際のガードナー色調値が11以下を示す[1]に記載の化合物。
[２３]
式(IV)：
【化３】
2005501155.tif 000009
［式中、Aは式(II)：
【化４】
2005501155.tif 000010
（式中、ポリオキシアルキレン成分は繰り返し単位が1〜100である少なくとも１つのC2-20アルキレンオキシ、グリシドール、グリシジル、およびそれらの任意の混合物よりなる群から選ばれ、R'は水素、C1-20アルコキシ、C1-20アルキル、およびC1-20エステルよりなる群から選ばれる）で表わされる］
で表わされる構造に従う低色調の紫外線吸収剤化合物であって、該化合物は純粋、無希釈状態でガードナー色調値が11以下を示す化合物。
[２４]
ａ）レゾルシノールと、少なくとも１つのC2-C20アルキレンオキシド、グリシドール、およびそれらの任意の混合物よりなる群から選ばれる少なくとも１つのオキシアルキレン含有基を有する少なくとも１つの化合物よりなる群から選ばれる化合物とを触媒の存在下に反応させてポリアルコキシル化レゾルシノールを生成させ；
ｂ）ステップ“ａ”の反応生成物を、ポリアルコキシル化水酸基を保護する化合物と反応させ；
ｃ）ステップ“ｂ”の生成物を、ビルスマイヤー錯体の生成により芳香族アルデヒドへ転化させ；
ｄ）次いでステップ“ｃ”のアルデヒドを、脱アセチル化化合物と反応させてポリアルコキシル化水酸基を遊離させ；
ｅ）得られたステップ“ｄ”の生成物をアルキルシアノエステルと反応させる、
一連のステップを含んでなる[23]に記載の化合物の製造方法。
[２５]
[23]に記載の化合物を含んでなる熱可塑性樹脂。
[２６]
前記熱可塑性樹脂はポリエステルである[25]に記載の熱可塑性樹脂。
[２７]
前記ポリエステルはポリエチレンテレフタレートである[26]に記載のポリエステル。
[２８]
[23]に記載の化合物および少なくとも一種の青味剤を含んでなる組成物。
[２９]
[23]に記載の化合物および少なくとも一種の青味剤を含んでなるペレット化組成物。
[３０]
(a)  熱可塑性樹脂の溶融配合物を供給し；
(b)  [23]に定義された化合物に従う少なくとも一種の化合物を前記溶融配合物中へ導入し；
(c)  得られた溶融配合物を冷却する
ステップを含んでなる熱可塑性樹脂物品の製造方法。
[３１]
前記熱可塑性樹脂はポリエステルを含んでなる[30]に記載の方法。
[３２]
前記ポリエステルはポリエチレンテレフタレートを含んでなる[31]に記載の方法。
[３３]
(a)  熱可塑性樹脂の溶融配合物を供給し；
(b)  [28]に定義された組成物を前記溶融配合物中へ導入し；
(c)  得られた溶融配合物を冷却する
ステップを含んでなる熱可塑性樹脂物品の製造方法。
[３４]
前記熱可塑性樹脂はポリエステルを含んでなる[32]に記載の方法。
[３５]
前記ポリエステルはポリエチレンテレフタレートを含んでなる[33]に記載の方法。
[３６]
(a)  熱可塑性樹脂の溶融配合物を供給し；
(b)  [29]に定義された少なくとも一種のペレットを前記溶融配合物中へ導入し；
(c)  得られた溶融配合物を冷却する
ステップを含んでなる熱可塑性樹脂物品の製造方法。
[３７]
前記熱可塑性樹脂はポリエステルを含んでなる[36]記載の方法。
[３８]
前記ポリエステルはポリエチレンテレフタレートを含んでなる[37]に記載の方法。
[３９]
式(III)：
【化５】
2005501155.tif 000011
［式中、Aは式(II)：
【化６】
2005501155.tif 000012
（式中、ポリオキシアルキレン成分は繰り返し単位が1〜100である少なくとも１つのC2-20アルキレンオキシ、グリシドール、グリシジル、およびそれらの任意の混合物よりなる群から選ばれ、R'は水素、C1-20アルコキシ、C1-20アルキル、およびC1-20エステルよりなる群から選ばれる）で表わされる］
で表わされる構造に従う低色調の紫外線吸収剤化合物。
[４０]
ａ）バニリンと、少なくとも１つのC2-C20アルキレンオキシド、グリシドール、およびそれらの任意の混合物よりなる群から選ばれる少なくとも１つのオキシアルキレン含有基を有する少なくとも１つの化合物よりなる群から選ばれる化合物とを触媒の存在下に反応させ；
ｂ）ステップ“ａ”の反応生成物を、少なくとも１つのアルキルシアノエステルと反応させる、
一連のステップを含んでなる[39]に記載の紫外線吸収剤化合物の製造方法。
[４１]
[39]に定義された化合物を含んでなる熱可塑性樹脂組成物。
[４２]
前記熱可塑性樹脂はポリエステルを含んでなる[41]に記載の熱可塑性樹脂組成物。
[４３]
前記ポリエステルはポリエチレンテレフタレートを含んでなる[42]に記載のポリエステル組成物。
[４４]
[39]に記載の化合物および少なくとも一種の青味剤を含んでなる組成物。
[４５]
[39]に記載の化合物および少なくとも一種の青味剤を含んでなるペレット化組成物。
[４６]
(a)  熱可塑性樹脂の溶融配合物を供給し；
(b)  [39]に定義された化合物に従う少なくとも一種の化合物を前記溶融配合物中へ導入し；
(c)  得られた溶融配合物を冷却する
ステップを含んでなる熱可塑性樹脂物品の製造方法。
[４７]
前記熱可塑性樹脂はポリエステルを含んでなる[46]に記載の方法。
[４８]
前記ポリエステルはポリエチレンテレフタレートを含んでなる[47]に記載の方法。
[４９]
(a)  熱可塑性樹脂の溶融配合物を供給し；
(b)  [44]に定義された化合物を前記溶融配合物中へ導入し；
(c)  得られた溶融配合物を冷却する
ステップを含んでなる熱可塑性樹脂物品の製造方法。
[５０]
前記熱可塑性樹脂はポリエステルを含んでなる[49]に記載の方法。
[５１]
前記ポリエステルはポリエチレンテレフタレートを含んでなる[50]に記載の方法。
[５２]
(a)  熱可塑性樹脂の溶融配合物を供給し；
(b)  [7]に定義された少なくとも一種のペレットを前記溶融配合物中へ導入し；
(c)  得られた溶融配合物を冷却する
ステップを含んでなる熱可塑性樹脂物品の製造方法。
[５３]
前記熱可塑性樹脂はポリエステルを含んでなる[52]に記載の方法。
[５４]
前記ポリエステルはポリエチレンテレフタレートを含んでなる[53]に記載の方法。